Podtech/llm-jp-corpus-v4-ja_patent huggingface dataset:
(57)【要約】      （修正有）【課題】うさぎなどげっ歯類が口を寄せて牧草を食する時に接する牧草給餌器の齧られやすい前面部を脱着可能な構造とした牧草給餌器を提供する。【解決手段】牧草給餌器の前面部を脱着可能な構造とすることで、齧られ破損した前面部を容易に交換しうるようにする。牧草給餌器は木製であって、その形状は牧草が充填できればその形状は問わないが、立法形であることが好ましい。この牧草給餌器の前面部を容易に脱着可能な構造にする。すなわち、その構造として牧草給餌器本体の両側面に凹状の切り込みを付け、凸状の側面を持つ牧草給餌器の前面部を凹凸面で落とし込み式に組み合わす構造とする。【選択図】図１
0003159010.tif 000002
【実用新案登録請求の範囲】
【請求項１】
草食性愛玩小動物用牧草給餌器にあって、給餌器の前面部が脱着可能な構造である木製の
牧草給餌器。
【請求項２】
脱着可能な前面部が牧草給餌器側面と凹凸面で落とし込み式に組み合わされる構造となっ
ている請求項１記載の牧草給餌器。
【請求項３】
脱着可能な前面部が格子状である請求項１記載の牧草給餌器。
【考案の詳細な説明】
【技術分野】
【０００１】
本考案は、草食性愛玩小動物に牧草を給餌する際に使用する牧草給餌器に関する。
【背景技術】
【０００２】
うさぎ、チンチラなど草食性愛玩小動物の飼育に際しては、栄養上繊維質源として牧草を
給餌する必要があり、一定量の牧草を牧草給餌器に入れ、飼育ケージ内に設置するのが一
般である。牧草給餌器は一定量の牧草を充填できる形状であり、立方形の箱状の形である
ものが多く、立方形の少なくとも一面は牧草を噛んで引き出し食するに適した間隙が設け
られているのが一般的である。牧草給餌器には木製、合成樹脂製あるいは金属製のものが
ある。うさぎなどげっ歯類はものを齧る習性があり、給餌器など飼育容器を齧りこれを破
損する。これを防ぐために飼育ケージ内に齧るに適した木片を齧り木として設置すること
がある（特許文献１）。
【０００３】
【特許文献１】特開平９−７４９４４号公報
【考案の開示】
【考案が解決しようとする課題】
【０００４】
うさぎなどげっ歯類はものを齧る習性があり、木製の牧草給餌器は齧られやすく、分部的
にでも齧られ破損した場合、牧草給餌器の用とならず耐用期間が短い問題がある。合成樹
脂性では齧った砕片を飲み込んでしまうことから健康上好ましくない。金属製では齧る行
為で歯を痛めやすい問題があった。そこで本考案者等は、牧草給餌器としては木製が好ま
しいと考え、木製の牧草給餌器の問題点を解消すべく種々検討を重ねた結果、本考案を完
成するに至った。
【課題を解決するための手段】
【０００５】
すなわち、本考案は、うさぎなどげっ歯類が口を寄せて牧草を食する時に接する牧草給餌
器の齧られやすい前面部を脱着可能な構造とした牧草給餌器に関する。
【考案の効果】
【０００６】
牧草給餌器の前面部を脱着可能にすることで、齧られて破損した牧草給餌器の前面部のみ
を交換することで、木製であっても牧草給餌器の耐用期間を長く保つことが出来る。
【図面の簡単な説明】
【０００７】
【図１】本考案の牧草給餌器の斜視図である。
【図２】凹状の切れ込みを側面に持つ牧草給餌器本体部の斜視図である。
【図３】凸状の側面を持つ牧草給餌器の前面部の斜視図である。
【考案を実施するための形態】
【０００８】
本考案の牧草給餌器の一例を示せば図１のとおりである。牧草給餌器は木製であって、そ
の形状は牧草が充填できればその形状は問わないが、立法形であることが好ましい。この
牧草給餌器の前面部を容易に脱着可能な構造にする。すなわち、その構造として牧草給餌
器本体の両側面に凹状の切り込みを付け（図２）凸状の側面を持つ牧草給餌器の前面部（
図３）を凹凸面で落とし込み式に組み合わす構造とする。
【０００９】
本考案の脱着可能な牧草給餌器の前面部は、うさぎなどげっ歯類が口を寄せて牧草を引き
出し食し得る間隙が必要であるが、前面部を桟あるいは格子を入れた構造にすることで目
的が達せられる。例えば、30ｍｍ間隔で桟を入れた構造にする。
【００１０】
本考案は、前記した脱着可能な牧草給餌器の前面部の予備品を設け、齧られて破損した
前面部と交換することで牧草給餌器の耐用期間を延ばすことができる。
【００１１】
次に本考案をさらに具体的に説明するために実施例を掲げるが、本考案はこれらの実施
例のみに限定されるものではない。
【実施例】
【００１２】
ポプラ材の厚さ10ｍｍの板でうさぎ用牧草給餌器を作る。牧草給餌器は高さ170ｍｍ、奥
行き100ｍｍ、巾150ｍｍの立方形で、前面を脱着可能な面とし、上面は牧草の投入口とし
て空けてある。牧草給餌器の両側面の前端に凹状の切れ込みを付け、凸状を持つ前面部を
嵌め込む。前面部はうさぎが牧草を食するため30ｍｍの間隙で格子構造が設けられてある
。この前面部は予備品を用意しておく。牧草を本考案の牧草給餌器に入れうさぎが自由に
食しうるように飼育ケージ内に設置する。うさぎは牧草給餌器の前面の格子分部を齧り、
１０日間で前面部を破損するに至った。そこで破損した前面部を予備品と差し替えること
でうさぎ用牧草給餌器の耐用期間を延ばすことが出来た。
【００１３】
桐材の厚さ12ｍｍの板でチンチラ用牧草給餌器を作る。牧草給餌器は高さ200ｍｍ、奥行
き80ｍｍ、巾100ｍｍの立方形で、前面を脱着可能な面とし、上面は牧草の投入口として
空けてある。牧草給餌器の両側面の前端に凹状の切れ込みを付け、凸状を持つ前面部を嵌
め込む。前面部はチンチラが牧草を食するため40ｍｍの間隙で桟が設けられてある。この
前面部は予備品を容易しておく。牧草を本考案の牧草給餌器に入れチンチラが自由に食し
うるように飼育ケージ内に設置する。チンチラは牧草給餌器の前面の桟分部を齧り、３０
日間で前面部を破損するに至った。そこで破損した前面部を予備品と差し替えることでチ
ンチラ用牧草給餌器の耐用期間を延ばすことが出来た。
【産業上の利用可能性】
【００１４】
草食性愛玩小動物（げっ歯類）により齧られ破損しやすい牧草給餌器の前面部分を交換で
きる構造にすることで牧草給餌器の耐用期間を延ばすことができる。
【符号の説明】
【００１５】
１  牧草給餌器本体と前面部との凹凸面での組み合わせ
２  脱着可能な前面部
３  側面に付けた凹状の切れ込み
４  前面部分の凸状突起
５  前面部分を構成する桟木
６  牧草を食するための間隙
【図１】
0003159010.tif 000003
【図２】
0003159010.tif 000004
【図３】
0003159010.tif 000005
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
【請求項１】
立方形の草食性愛玩小動物用牧草給餌器にあって、その前面部を給餌器本体と凹凸面で落し込み式に組合せ、前面部を脱着可能な構造とした木製の牧草給餌器
【請求項２】
前面部が格子状構造である請求項１記載の牧草給餌器
(57)【要約】      （修正有）【課題】着脱が容易でかつ固定が堅固であるフロントガラスカバーシートを提供する。【解決手段】フロントガラスカバーシートを４隅に取付けた伸縮する紐によって前部ドアのアウトサイドハンドルと前部車輪のフェンダーの縁に固定する。該シートをフロントガラスとワイパーを被うように広げ、該シートの上部の２隅に取付けた伸縮する紐の先端のＵ字型フックをそれぞれ左右の前部ドアのアウトサイドハンドルに掛け、下部の２隅に取付けた伸縮する紐の先端のＵ字型フックをそれぞれ左右前輪のフェンダーの縁に掛けることにより該シートはフロントガラスに堅固に固定される。【選択図】図２
0003159038.tif 000002
【実用新案登録請求の範囲】
【請求項１】
フロントガラスとワイパーを被う大きさを有する概長方形のシートの４隅に紐を取付け、該紐の先端にＵ字型フックを取付けたことによって成るフロントガラスカバーシート。
【請求項２】
４隅に取付けた紐が伸縮性を有する紐である請求項１のフロントガラスカバーシート。
【考案の詳細な説明】
【技術分野】
【０００１】  本考案はフックを具えた固定用の紐を設けたフロントガラスカバーシートに関するものである。
【背景技術】
【０００２】  寒冷期に車両のフロントガラスに霜が氷結するのを防ぐための堅固に固定されしかも着脱が容易であるフロントガラスカバーシートが求められていた。【０００３】  寒冷期に車両のワイパーが氷結するのを防ぐための堅固に固定されしかも着脱が容易であるフロントガラスカバーシートが求められていた。【０００４】  このためいくつかのフロントガラスカバーシートが提案されていた。
【先行技術文献】
【特許文献】
【０００５】
【特許文献１】特許公開２００８−１３７６２５
【特許文献２】特許公開２００６−２９８３１４
【特許文献３】特許公開２００１−３１５５３３
【特許文献４】特許公開平１１−３０１２８３
【特許文献５】実用新案公開平６−６０５０
【特許文献６】登録実用新案第３００２１８１号
【０００６】  特許文献１および特許文献６には磁石で固定するフロントガラスカバーシートが開示されているが、この方法では堅固に固定されず、風によって飛ばされることを防ぐことができない。【０００７】  特許文献２にはドアミラーにかぶせる袋を設けたフロントガラスカバーシートが開示されているが、この方法では固定は堅固でなく外れやすい。【０００８】  特許文献３には吸盤で固定するフロントガラスカバーシートが開示されているが、この方法では固定は堅固でなく外れやすい。【０００９】  特許文献４には屋根に取付けた巻取り装置に収納するフロントガラスカバーシートが開示されているが、この方法では収納は便利であるが堅固にフロントガラスをカバーすることはできない。【００１０】  特許文献５にはボンネットに取付けた収納器に出し入れするフロントガラスカバーシートが開示されているが、この方法では収納は便利であるが堅固にフロントガラスをカバーすることはできない。
【考案の概要】
【考案が解決しようとする課題】
【００１１】  着脱が容易でしかも堅固にフロントガラスを被うことができるフロントガラスカバーシートを提供すること。
【課題を解決するための手段】
【００１２】  車両のフロントガラスとワイパーとを被う大きさを有する概長方形の横長シートの４隅に伸縮する紐、たとえばゴム紐を取付け、それぞれの紐の先端にＵ字型のフックを取付ける。
【考案の効果】
【００１３】  前記シートを車両のフロントガラスカバーシートとして用いる時に、該シートをフロントガラスとワイパーを被うように広げ、該シートの上部の２隅に取付けた伸縮する紐の先端のＵ字型フックをそれぞれ左右の前部ドアのアウトサイドハンドルに掛け、下部の２隅に取付けた伸縮する紐の先端のＵ字型フックをそれぞれ左右前輪のフェンダーの縁に掛けることにより該シートはフロントガラスに堅固に固定される。【００１４】  フロントガラスに取付けた前記シートを外す時には前部ドアのアウトサイドハンドルと前部車輪フェンダーの縁に掛けたフックを外すことにより、容易に外すことができる。
【図面の簡単な説明】
【００１５】
【図１】本考案の方法で作成したフロントガラスカバーシートである。
【図２】本考案のフロントガラスカバーシートを乗用車のフロントガラスに固定したところを示す。
【考案を実施するための形態】
【実施例】
【００１６】  以下添付図面にしたがって一実施例を説明する。１０は本考案のフロントガラスカバーシート本体で、２０はフロントガラスとワイパーを被うシート、３１ａ，３１ｂはシート２０の上部の隅に設けた孔、３２ａ，３２ｂはシート２０の下部の隅に設けた孔、４１ａ，４１ｂは伸縮する紐で孔３１ａ，３１ｂを通すことによりシート２０に取付けてある。４２ａ，４２ｂは伸縮する紐で孔３２ａ，３２ｂを通すことによりシート２０に取付けてある。紐４１ａ，４１ｂ、４２ａ，４２ｂのそれぞれの先端部にＵ字型フック５１ａ，５１ｂ，５２ａ，５２ｂが取付けてある。
【産業上の利用可能性】
【００１７】  本考案のフロントガラスカバーシートは製造が容易で効果が大きいので産業上の利用可能性が高い。
【符号の説明】
【００１８】  １０  本考案のフロントガラスカバーシート
２０  シート
３１ａ，３１ｂ  シート２０の上の隅に設けた孔
３２ａ，３２ｂ  シート２０の下の隅に設けた孔
４１ａ  孔３１ａに通してシーと２０に取付けた伸縮性のある紐
４１ｂ  孔３１ｂに通してシーと２０に取付けた伸縮性のある紐
４２ａ  孔３２ａに通してシーと２０に取付けた伸縮性のある紐
４２ｂ  孔３２ｂに通してシーと２０に取付けた伸縮性のある紐
５１ａ  紐４１ａの先端に取付けたフック
５１ｂ  紐４１ｂの先端に取付けたフック
５２ａ  紐４２ａの先端に取付けたフック
５２ｂ  紐４２ｂの先端に取付けたフック
【図１】
0003159038.tif 000003
【図２】
0003159038.tif 000004
(57)【要約】      （修正有）【課題】中央に貫通穴があり、小型で円筒状あるいは球状の化学発光具を提供する。【解決手段】中空密閉容器１の中心線に前記容器を貫通したパイプ２を設け、かつ前記パイプの外側で中空密閉容器内にアンプル配置用空間、化学発光液用空間１２および浮力用空間１３を設け、中空密閉容器内のガラスアンプルに収容されている化学発光液と前記化学発光液用空間に収容さけている化学発光液が混合することにより化学発光を呈する。透光性かつ柔軟性を有する中空密閉容器の側壁Ｃを外的力で押圧することにより側壁Ｃがたわみガラスアンプル６が割れ分離されていた２種類の化学発光液が混合し化学発光がスタートする。【選択図】図２
0003159033.tif 000002
【実用新案登録請求の範囲】
【請求項１】
中空密閉容器の中心線に前記容器を貫通したパイプを設け、かつ前記パイプの外側で中空密閉容器内にアンプル配置用空間、化学発光液用空間および浮力用空間を設け、中空密閉容器内のガラスアンプルに収容されている化学発光液と前記化学発光液用空間に収容さけている化学発光液が混合することにより化学発光を呈する。透光性かつ柔軟性を有する中空密閉容器の側壁を外的力で押圧することにより側壁がたわみガラスアンプルが割れ分離されていた２種類の化学発光液が混合し化学発光がスタートすることを特徴とした化学発光具。
【請求項２】
中空密閉容器を両端が丸みのある円筒状の形状とし、中空密閉容器の中心線に直交する断面においてパイプの壁と容器の内壁と連結した仕切り壁でアンプル配置用空間を形成した請求項１記載の化学発光具。
【請求項３】
ガラスアンプルに収容されている化学発光液と化学発光液用空間に収容さけている化学発光液の２液の合計体積よりも浮力用空間の体積を大とした請求項１および請求項２記載の化学発光具。
【考案の詳細な説明】
【技術分野】
【０００１】
本考案は、集魚灯、ウキなどの釣具やおもちゃ、装身具など幅広く利用できる発光具に関するものである。
【背景技術】
【０００２】
実用新案公開平０６−０３８５３８、登録実用新案第３１５４５９８号などウキに関する考案などが知られているがウキ自体が発光体となっているものは知られていない。
【０００３】
上記の考案はウキ本体に化学発光体を差し込む構造であるから、ウキから発光体が飛び出て、釣り糸が絡む要因となっていることは多くの釣り人が指摘している。又現在のウキは０号、００号などバランスを重要視しており、後から化学発光体を取り付ける構造ではこのバランスがとりにくい欠点も有していた。
【先行技術文献】
【特許文献】
【０００４】
【特許文献１】実用新案公開平０６−０３８５３８号公報
【特許文献１】登録実用新案第３１５４５９８号公報
【考案の概要】
【考案が解決しようとする課題】
【０００５】
本考案は、上記の実情に鑑みてなされたものであり、その目的は中心線に貫通した穴を有する小型発光具であり。発光させる方法も従来のステイック状のものを折り曲げるのではなく側壁を押す方法で小型化を可能とした。
【課題を解決するための手段】
【０００６】
本考案はアンプル配置用空間に、細く短く且つ薄いガラスアンプルを複数配置することにより短い小型の発光具とすることを特徴とする。
【考案の効果】
【０００７】
本考案によると、中心線に貫通した穴のある小型発光具は、貫通した穴を使って例えば釣り糸を通してウキとして利用でき、複数の小型発光具を数珠状につないでブレスレットや光る数珠など装身具や玩具など提供できる。中空密閉容器を乳白色の樹脂とすることにより発光時容器全体が発光している状態とすることもできる。さらに容器表面に文字、模様を印刷して商品価値を高めることもできる。
【図面の簡単な説明】
【０００８】
【図１】図１は本考案の化学発光具の正面図である。
【図２】図２は図３Ｂ−Ｂ線の断面図である。
【図３】図３は図１Ａ−Ａ線の断面図である。
【考案を実施するための形態】
【０００９】
中空密閉容器１のサイズは、図１に示すように長さ１６ｍｍ、直径８ｍｍ、貫通穴の直径は２ｍｍである。
ガラスアンプル６はφ１．４ｍｍ、長さ１０ｍｍ、ガラスの厚み９０ミクロンを３本づつ左右に配置する図２参照。
２種類の化学発光液の一方を便宜上化学発光液Ａとし、他方の化学発光液を化学発光液Ｂとする。ガラスアンプル６本に入っている化学発光液Ａ（蛍光液）は０．０４５ｍｌ
ガラスアンプル６の外側で中空密閉容器１の内側には化学発光液Ｂ（酸化液）が０．０８ｍｌ収容されている。
中空密閉容器１内の体積は約０．３ｃｍ3  化学発光液Ａ，Ｂの総量は０．１２５ｍｌ
浮力用空気の体積は約０．３−０．１２５＝０．１７５ｃｍ３（ただしガラスの体積は無視した）従って化学発光液の２液の合計体積よりも浮力用空間の体積が大となっている。
【００１０】
仕切り壁１０は図２に示すようにガラスアンプル６の遊びを制限して、発光させる時にアンプルが逃げないようにしてアンプルの破割を確実にするため、かつパイプが中空密閉容器１の成形時傾く（中心線から外れる）のを防止するためでもある。
また凸部８および９はガラスアンプル６を折り易くするためのものである。
【００１１】
中空密閉容器１はポリプロピレン、ポリエチレン製で柔軟性があり光り透過性素材のものを選ぶ。
【００１２】
発光させる時は、中空密閉容器１の側壁Ｃを指で中心方向に押すと側壁の肉厚は０．６ｍｍであり容易にたわむので、中のアンプルが割れ化学発光液Ｂと混ざる。
【００１３】
釣りのウキに使うときは、貫通孔７に釣り糸を通し、あるいは貫通孔７に固定ヨージを差し込んで釣り糸に中空密閉容器１を固定して釣りを行う。
【符号の説明】
【００１４】
１    中空密閉容器
２    パイプ
６    ガラスアンプル
７    貫通孔
８    凸部
９    凸部
１０  仕切り壁
１１  アンプル配置用空間
１２  化学発光液用空間
１３  浮力用空間
Ａ  化学発光液
Ｂ  化学発光液
Ｃ  側壁
【図１】
0003159033.tif 000003
【図２】
0003159033.tif 000004
【図３】
0003159033.tif 000005
【手続補正書】
【提出日】平成22年2月23日(2010.2.23)
【手続補正１】
【補正対象書類名】実用新案登録請求の範囲
【補正対象項目名】請求項１
【補正方法】変更
【補正の内容】
【請求項１】
透光性かつ柔軟性を有する中空密閉容器の中心線に前記容器を貫通したパイプを設け、かつ前記パイプの外側で中空密閉容器内にアンプル配置用空間、化学発光液用空間および浮力用空間を設け、中空密閉容器内のガラスアンプルに収容されている、２種類の混合することにより化学発光を呈する一方の化学発光液と、前記化学発光液用空間に収容されている、混合することにより化学発光を呈する他方の化学発光液からなる、中空密閉容器の側壁を外的力で押圧することにより側壁がたわみ前記ガラスアンプルが割れることにより分離されていた２種類の化学発光液が混合し化学発光がスタートすることを特徴とした化学発光具。
【手続補正２】
【補正対象書類名】実用新案登録請求の範囲
【補正対象項目名】請求項３
【補正方法】変更
【補正の内容】
【請求項３】
ガラスアンプルに収容されている化学発光液と化学発光液用空間に収容されている化学発光液の２液の合計体積よりも浮力用空間の体積を大とした請求項１または請求項２記載の化学発光具。
(57)【要約】      （修正有）【課題】通常は１本のペンを使用し、ポップなど濃淡を付けたりするときは、異なる色彩のペンを２本選んで格納筒に装着することで異なる色彩の複数の線を同時に書くことが出来、また、ペン先を任意の角度に固定することで線の太さを変えることを可能にするペンを提供する。【解決手段】円筒状のインク部１と繋がり、芯軸３を固定しているノズル部２を、インク部１側面の延長線上の任意の一点と芯軸３先端が交わるところまで緩やかに曲げることで、１本での通常使用を可能にするとともに、異なる色彩のペンを２本選び、２本のペン先が任意の位置で固定できるようなインク部支持部を筒内部に有する格納筒４に任意の位置で装着することで、異なる色彩と異なる太さの複数の線を同時に書くことを可能にした。【選択図】図４
0003159037.tif 000002
【実用新案登録請求の範囲】
【請求項１】
円筒状のインク部と繋がり、芯軸を固定しているノズル部が、インク部側面の延長線上の任意の一点と芯軸先端が交わるところまで緩やかに曲がっていることを特長とする曲がりペン。
【請求項２】
請求項１の２本の曲がりペンの芯軸が任意の位置で容易に動かないようなインク部支持部を筒内部に有する請求項１のペンを２本格納する格納筒。
【考案の詳細な説明】
【産業上の利用分野】
【０００１】  本考案は、同時に複数の色彩の線および異なる太さの線を書くことを可能にすることで、表現する文字に濃淡を付けることができ、訴える内容を強調することができることを可能にするものである。
【背景技術】
【０００２】  従来、複数の線を同時に書くことが出来、かつ、線の太さを変化させることが出来るものは現存しておらず、一度書いたものに再度別の色彩のペンで書くという二度手間が生じていた。
【考案が解決しようとする課題】
【０００３】  通常は１本のペンを使用し、ポップなど濃淡を付けたりするときは、異なる色彩のペンを２本選んで格納筒に装着することで複数の線を同時に書くことが出来、また、ペン先を任意の角度に固定することで線の太さを変えることを可能にする。
【課題を解決するための手段】
【０００４】  円筒状のインク部１と繋がり、芯軸３を固定しているノズル部２を、インク部１側面の延長線上の任意の一点と芯軸３先端が交わるところまで緩やかに曲げることで、１本での通常使用を可能にするとともに、異なる色彩のペンを２本選んで格納筒４に装着することで複数の線を同時に書くことを可能とし、かつ、２本のペンをペン先が任意の位置で固定できるようなインク部支持部５を有する格納筒４に装着することで、太さの異なる複数の線を同時に書くことを可能にした。
【考案の効果】
【０００５】  本考案は、１本での通常使用が問題なく出来ることと、２本使用のとき異なる色彩のペンを選べることが出来るとともに、ペン先を任意の角度で格納筒内部に固定することで線の太さを変えることが出来ることを可能にした。これによりポップや文字に濃淡をつけるなど、文字を強調するようなときに二度手間がなくなり、大幅に時間短縮が出来ることとなる。
【実施例】
【０００６】  本考案は、円筒状のインク部１と繋がり、芯軸３を固定しているノズル部２を、インク部１側面の延長線上の任意の一点と芯軸３先端が交わるところまで緩やかに曲げることで、１本での通常使用を可能にするとともに、異なる色彩のペンを２本選び、ペン先が任意の位置で固定できるようなインク部支持部５を筒内部に有する格納筒４に任意の位置で装着することで、異なる色彩と異なる太さの複数の線を同時に書くことを可能にした。
【図面の簡単な説明】
【図１】本考案の実施例を分かりやすく表示した正面図である。
【図２】本考案の左側面図である。
【図３】本考案の右側面図である。
【図４】本考案の格納筒に装着した実施例の正面図である。
【図５】本考案の格納筒に装着した実施例の左側面図である。
【図６】本考案の格納筒に装着した実施例の右側面図である。
【符号の説明】  １インク部  ２ノズル部  ３芯軸  ４格納筒  ５インク部支持部
【図１】
0003159037.tif 000003
【図２】
0003159037.tif 000004
【図３】
0003159037.tif 000005
【図４】
0003159037.tif 000006
【図５】
0003159037.tif 000007
【図６】
0003159037.tif 000008
(57)【要約】      （修正有）【課題】ノートやリーガルパッド、レポートパッド、ルーズリーフ用紙、メモ用紙等の筆記用紙の区分け部にドットを表示して、筆記紙面が書き易く、かつ見易くて使用に便利なノート等の筆記用紙を提供する。【解決手段】筆記用紙１には、横罫線２が表示されており、この横罫線２の項目名を記載する欄７と本文の記載する欄８の境界をなす区分け部１３にドット６が表示されている。このドット６には横罫線の上辺から１０本目ごとに他の部分より大きいドット９が表示されている。【選択図】図１
0003159224.tif 000002
【実用新案登録請求の範囲】
【請求項１】
横罫線または縦罫線を有する筆記用紙において、記載事項を区分けする区分け部に位置する罫線にドットを表示したことを特徴とするノート等の筆記用紙。
【請求項２】
区分け部が項目名を記載する欄と本文を記載する欄との境界である請求項１に記載のノート等の筆記用紙。
【請求項３】
区分け部が項目名を記載する欄である請求項１に記載のノート等の筆記用紙。
【請求項４】
区分け部がコラム欄を仕切る部分である請求項１に記載のノート等の筆記用紙。
【請求項５】
罫線の上辺または右辺から５本目あるいは１０本目ごとにドットの大きさを他の部分のドットより大きく表示した請求項１ないし４のいずれかに記載のノート等の筆記用紙。
【考案の詳細な説明】
【技術分野】
【０００１】
本考案は、ノートやリーガルパッド、レポートパッド、ルーズリーフ用紙、メモ用紙等の筆記用紙の区分け部にドットを表示した使用し易いノート等の筆記用紙に関する。
【背景技術】
【０００２】
ノートに横罫や縦罫線を引きその罫線の上下辺に目印を表示した筆記用紙が知られている。また、書き易くしかつ読み易くするために罫線にとぎれ目を設けたもの、あるいは英文字や図形が容易に筆記できるように罫線の全面に傾斜させた線状のドットを設けたものが考えられている。
【０００３】
しかし、上記のように罫線の上下辺のみに目印が表示されているものは、ノートに項目名を記載する欄を区分けして表示する際に、上下辺の目印間を定規を用いて線引きしているのが実状であり、そのために手間がかかり、しかも線引きするために常時手元に定規を用意しておく必要があり面倒でもあった。
更に、罫線にとぎれ目を設けたもの及び罫線に傾斜させた線状のドットを設けたものは、罫線の全面にとぎれ目や斜線状のドットが設けられているので、これらのとぎれ目や斜線状のドットが記載する際に目障りとなり使用し難いものであった。
【先行技術文献】
【特許文献】
【０００４】
【特許文献１】登録実用新案第３０２２１８８号公報（段落「０００５」、「０００６」、図１）
【特許文献２】登録実用新案第３１４９１７９号公報（段落「０００８」、「００１０」、図１）
【考案の概要】
【考案が解決しようとする課題】
【０００５】
本考案は、上記の問題点を解消するものであって、筆記用紙面が書き易く、かつ見易くて使用に便利なノート等の筆記用紙を提供しようとするものである。
【課題を解決するための手段】
【０００６】
本考案は、筆記用紙面の罫線の区分け部にドットを表示するようにしたものであり、この区分け部には、項目名を記載する欄、項目名の記載欄と本文の記載欄の境界部分、本文のコラム欄を仕切る部分が含まれる。また、その区分け部の罫線に表示されるドットは、罫線の上辺または右辺から５本目あるいは１０本目ごとにドットの大きさを他の部分のドットより大きく表示するようにしたものである。
【考案の効果】
【０００７】
本考案は、上記のように筆記用紙面の罫線の区分け部にドットが表示されているので、簡便かつ容易に項目名の欄と本文の欄を区分けして記載したり、本文の欄をコラムごとに区分けして記載することができ、またそのドットが目安となって文字を整然ときれいに記載することができる。更に、ドットを罫線の上辺または右辺から５本目ごとや１０本目ごとにドットの大きさを他の部分のドットより大きく表示しているので、記載される文字数を容易に知ることができると共に文字揃えも簡単にできる。
【図面の簡単な説明】
【０００８】
【図１】本考案の一実施例を示す平面図である。
【図２】他の実施例を示す平面図である。
【図３】更に他の実施例を示す平面図である。
【考案を実施するための形態】
【０００９】
本考案は、ノートやリーガルパッド、レポートパッド、ルーズリーフ用紙、メモ用紙等の筆記用紙に適用することができるものであるが、以下、ノートを実施例として説明する。
図1において、筆記用紙１は、横罫線２を有し、この横罫線の上辺３及び下辺４に目印５が等間隔で設けられている。横罫線２の左側から５番目の目印５に相当する横罫線上には、上辺３から下辺４に亘ってドット６が表示されており、このドットの表示によって項目名を記載する欄７と本文を記載する欄８が区分けされ、区分け部１３が形成される。なお、ドット６は、項目名を記載する欄７の幅に相応して横罫線２の左側から適当な位置に表示することができる。
【００１０】
上記ドット６は、種々の大きさとすることができるが、項目名を記載する欄７と本文を記載する欄８の境界が認識できる程度の大きさであればよい。また、この例では、ドット６を横罫線２の上辺から１０本目ごとに他の部分のドットより大きいドット９として表示しているが、このドットを５本目等ごとに表示するようにしてもよい。
【００１１】
図２に示す筆記用紙１は、項目名を記載する欄７の横罫線２全体にドット６が表示されており、これによって区分け部１３が形成されている。なお、このドット６には、上記図１と同様に大きいドット９が表示されている。
【００１２】
図３に示す筆記用紙１は、コラム欄１０を左欄１１と右欄１２に形成するために、本文を記載する欄８に適宜の間隔で（この例では目盛２個分）ドット６が表示され、区分け部１３が形成されている。なお、このドット６には、上記図１と同様に大きいドット９が表示されている。
上記筆記用紙１には、図１または図２に示すように、項目名を記載する欄７と本文を記載する欄８の境界の区分け部１３または項目名を記載する欄７の区分け部１３にドット６を表示するようにしてもよく、また、上記コラム欄１０を３箇所等と複数設けたり、縦横に設けたりしてもよい。
【００１３】
実施例では、横罫線を有する筆記用紙ついて説明しているが、上記ドット６、９は、縦横罫線を有する筆記用紙にも同様にして用いることができる。
【００１４】
筆記用紙１には、頁の表示欄１４や日付の表示欄１５を設けたり、横罫線２の欄外の両側または片側に５行あるいは１０行ごとに目印１６を設けたり、タイトル欄１７や項目欄１８を設けたりすることができる。
【００１５】
ノートやリーガルパッド、レポートパッド、メモ用紙等の筆記用紙の場合には、一般に左側や右側、上部側で綴られるが、ルーズリーフ用紙の場合には、バインダー等に綴られるので筆記用紙  に適宜数の綴り穴が設けられる。
【符号の説明】
【００１６】
１  筆記用紙    ２  横罫線    ６  ドット    ７  項目名を記載する欄    ８  本文を記載する欄    ９  大きいドット    １０  コラム欄    １３  区分け部
【図１】
0003159224.tif 000003
【図２】
0003159224.tif 000004
【図３】
0003159224.tif 000005
(57)【要約】      （修正有）【課題】イカ釣りに用いるイカ釣針の部位に反しの針を取り付けサバなどの魚類が飲み込み難くするイカ角を提供する。【解決手段】イカ角のイカ釣針の部位にイカ釣針と逆向きにサバ飲み込み防止の反し針を付けることを特徴とする。そして、サバ飲み込み防止イカ角に於いて、反しの針を１本でも複数本でも良いことを特徴とし、複数本の反しの針を取り付ける場合、反しの針同士が、各々、対称もしくは非対称に取り付けることを特徴とする。【選択図】図１
0003159232.tif 000002
【実用新案登録請求の範囲】
【請求項１】
イカ角の本体後端の放射状に配された傘型のイカ釣針の部位へ逆向きに反しの針を取り付けたことを特徴とするサバ飲み込み防止イカ角。
【請求項２】
反しの針を１本から複数本取り付けることを特徴とする請求項１に記載のサバ飲み込み防止イカ角。
【請求項３】
反しの針同士を、各々、対称もしくは非対称に取り付けることを特徴とする請求項１または請求項２に記載のサバ飲み込み防止イカ角。
【考案の詳細な説明】
【技術分野】
【０００１】
本考案は、イカ釣りに用いるイカ角のイカ釣針の部位に反しの針を取り付けサバなどの魚類がイカ角を飲み込み難くすることを目的とする。
【背景技術】
【０００２】
特許文献１に開示されるように、従来からイカ釣りにはイカ角が使用されている。イカ角には本体の後端に針が放射状に配された傘型のイカ釣針が取り付けられている。そして、前記イカ角を用いてイカ釣りを行う。
【先行技術文献】
【特許文献】
【０００３】
【特許文献１】実開昭５４−８０９８５号公報
【考案の開示】
【考案が解決しようとする課題】
【０００４】
このイカ角を用いたイカ釣りに於いては、イカ角をサバに飲み込まれずに、たとへサバが掛かっても素早くサバを外し次の釣の動作へ移ることが肝要であるが、しばしば、イカではなくサバがイカ角を飲み込んでしまうことがあり、傘型のイカ釣針はサバが飲み込む方向へは針が引っ掛からず、内臓深くへ侵入していくが、抜く方向へは傘型の針が内臓に刺さりイカ釣針を変形させずに素早く取り出すことが困難であった。
【０００５】
本考案は斯かる実情に鑑み考案されたもので、イカ角のイカ釣針の部位に反しの針を取り付け、サバなどの魚類がイカ角を飲み込み難くし、飲み込んでも内臓深くへの進入を防ぎ素早くイカ角をサバから外すことを目的とする。
【課題を解決するための手段】
【０００６】
この改善策として、サバがイカ角を飲み込み難くし、内臓奥深くへのイカ角の侵入を防止するための反しの針を取り付けたことを特徴とする。
【考案の効果】
【０００７】
各請求項に係る考案によれば、イカ角をサバが飲み難くなり、飲み込んでも内蔵深くへ侵入しないので、素早くイカ角をサバから取り出すことができ、イカ角の損傷も低減できる。また、この考案により、サバばかりでなく小児などが誤ってイカ角を口にした場合の被害を低減できると考える。
【考案を実施するための最良の形態】
【０００８】
以下、本考案の実施形態を図面に基づいて詳細に説明する。
図１は請求項１乃至請求項３の一実施形態に係るサバ飲み込み防止イカ角を用いたイカ釣り用イカ角を示す。
【０００９】
図１に示すようにイカ角３は、従来と同様、後端に針が放射状に配された傘形のイカ釣針２が取り付けられている。そして、前記にサバ飲み込み防止の反し針１を取り付けた構造となっている。
【００１０】
図１のサバ飲み込み防止の反し針１は、硬質合成樹脂材料、鉄、チタン合金、ステンレス、ニッケルチタン合金等で形成されイカ釣針２と逆向きに取り付けられる。
【００１１】
サバ飲み込み防止の反し針は１本から複数本とし、複数のサバ飲み込み防止の反し針を取り付ける場合はそれぞれの針が対象でも非対称でもよい。また、サバ飲み込み防止の反し針の先端は尖っていてもよいし、尖っていなくてもよい。
【図面の簡単な説明】
【００１２】
【図１】図１はサバ飲み込み防止の反し針２本を対象に取り付けた断面図である。
【図２】図２はサバ飲み込み防止の反し針１本を取り付けた断面図である。
【符号の説明】
【００１３】
１    サバ飲み込み防止の反し針
２    イカ釣針
３    イカ角
【図１】
0003159232.tif 000003
【図２】
0003159232.tif 000004
【手続補正書】
【提出日】平成22年2月22日(2010.2.22)
【手続補正１】
【補正対象書類名】明細書
【補正対象項目名】００１１
【補正方法】変更
【補正の内容】
【００１１】
サバ飲み込み防止の反し針は１本から複数本とし、複数のサバ飲み込み防止の反し針を取り付ける場合はそれぞれの針が対称でも非対称でもよい。また、サバ飲み込み防止の反し針の先端は尖っていてもよいし、尖っていなくてもよい。
【手続補正２】
【補正対象書類名】明細書
【補正対象項目名】００１２
【補正方法】変更
【補正の内容】
【００１２】
【図１】図１はサバ飲み込み防止の反し針２本を対称に取り付けた断面図である。
【図２】図２はサバ飲み込み防止の反し針１本を取り付けた断面図である。
(57)【要約】【課題】  ゴルフのパッティングをする時、ボールの位置からホールまでの距離感とボールを打出す方向性を、芝の状態や傾斜度の読みで打出し強さを加味しアプローチをきめるが、打出し方向性に対するパターヘッドのスイートスポットをボールの中心へ適格にヒットさせることを支援する方向指示具を、パターヘッドに篏合手段で脱着可能とする。【解決手段】  ゴルフパターの打出し角度を示すＬ字状方向指示板を予めパターの直立背面に取り付けてあるＬ字状方向指示板保持具の勘合部にワンタッチで挿入するだけで方向指示機能とＬ字状方向指示板のグリーン面からの高低を常に一定にし、方向指示板はプレーヤーから透視可能な材料とし方向指示線が中央に明示されてプレーヤーがアドレス時、ボール外形と方向指示線のバランスを確実に捉えられるような形態を構成する構造とし、且つワンタッチで抜き取ることができる構造としている。【選択図】図１
0003159213.tif 000002
【実用新案登録請求の範囲】
【請求項１】
パターヘッドの打撃面の背面に設けるＬ字状方向指示板保持具に着脱自在に嵌合し垂立するＬ字状の方向指示板の少なくとも水平面部を透光性素材で構成し、該方向指示板の長手方向において中心線を施すとともに、該方向指示板の水平部がグリーン面からボールの直径の２倍以上３倍以下の高さに位置させ更に前記水平部の長さを同一寸法とするゴルフパター指示具。
【考案の詳細な説明】
【技術分野】
【０００１】
本考案は、ゴルフパターヘッドに取付けヘッド打面で打球を打出す方向を指し示しプレー技術向上に寄与するパター支持具に関するものである。
【背景技術】
【０００２】
ゴルフのパッティングをする時、ボールの位置からホールまでの距離感とボールを打出す方向性を、芝の状態や傾斜度の読みで打出し強さを加味しアプローチをきめるが、打出し方向性に対するパターヘッドのスイートスポットをボールの中心へ適格にヒットさせることが難しいという問題点があった。
【０００３】
また、他に開示されているものは指示装置がパターに固定されている場合持ち運び収納バッグサイズに合わず、別途個別の収納具が必要とされるという難点がある。更に固定された後に高低や支持具の長さをプレー前に機能調整するという手間を加えなければならない問題点があった。
【先行技術文献】
【特許文献】
【０００４】
【特許文献１】特開２００６−２１２４０６号公報
【特許文献２】特開２０００−２８８１４６号公報
【考案の概要】
【考案が解決しようとする課題】
【０００５】
グリーン上に設けられたホールにボールを入れるパッティングは、ボールに当たるパターの微妙な角度や力加減によりボールがホールに入るか入らないかを大きく左右するが、パターヘッドの上部面にガイド線やガイド点を設ける、又はパターヘッドに予め指示具を固定することにより所望の方向を見出していたが、プレースタートした後からプレー終了するまでの間は脱着ができない構造であることや、脱着できても器具の調整が必用としていることと取り外しが複雑で工具によらなければならないなど簡便性に欠けていた、またパターに器具を取り付けたまま通常のゴルフバッグへのパター収納の際支持具の大きさが邪魔となり別途の持ち運び手段をとらなければならないなどの難点がある。
【課題を解決するための手段】
【０００６】
本考案は、ゴルフパターの打出し角度を示すＬ字状方向指示板を予めパターの直立背面に取り付けてあるＬ字状方向指示板保持具の篏合部にワンタッチで挿入するだけで方向指示機能とＬ字状方向指示板のグリーン面からの高低を常に一定にし、方向指示板はプレーヤーから透視可能な材料とし方向指示線が中央に明示されてプレーヤーがアドレス時、ボール外形と方向指示線のバランスを確実に捉えられるよう技術向上を目的とした構造とし、且つワンタッチで抜き取ることができる構造としている。
【考案の効果】
【０００７】
本考案は、ゴルフパターへの脱着がワンタッチで可能で、パターのスイートスポットをボールの中心へ適格にヒットさせる目標を可視化させ、Ｌ字状方向指示板を外した状態ではゴルフバッグに通常通りゴルフパターの格納に影響を与えず、プレーヤーがパターから外した状態で簡易に持ち歩きができ、繰り返しプレーが行われる際にも角度指示とグリーンからの高低が常に同じ条件が整うことを特徴としている。
【図面の簡単な説明】
【０００８】
【図１】本考案の実施形態の斜視図
【図２】本考案の方向指示具篏合斜視図
【図３】正面図
【図４】背面図
【図５】平面図
【図６】右側面図
【図７】左側面図
【考案を実施するための形態】
【０００９】
ゴルフパタープレーの技術向上を目的として、ゴルフパターにＬ字状方向指示板を脱着できる機能を具備し、スイートスポットをボールの中心へ適格にヒットさせる目標を可視化させ、角度指示とグリーンからの高低が常に同じ条件が整うことを実現した。
【実施例１】
【００１０】
図１は、本考案の実施例の斜視図で、１はＬ字状方向指示板を表し、９パターヘッドのスイートスポットの打面と平行になっている背面に垂直に設置された４支柱板の上部に直角に取り付けられた２方向指示板には打球の方向を示す３方向指示線が明示されている。１Ｌ字状方向指示板はそれぞれ４支柱板と２方向指示板に、補強のため５方向指示板補強板６支柱板補強板取り付けられている。この１Ｌ字状方向指示板は、９パターヘッド背面への脱着のため７Ｌ字状方向指示板保持具がビス、ホックまたは接着剤により固定されている。１０ネック、１１ゴルフボールを示している。
【００１１】
Ｌ字状方向指示板１はパターをスウィングする際方向指示板の先端部がボールに干渉しないようグリーン面より垂直高さ寸法をゴルフボール直径寸法の２倍以上３倍以内の寸法とし、２方向指示板および３方向指示線の長手寸法も同一寸法としプレーヤーの目視判断をし易くしている。
【産業上の利用可能性】
【００１２】
本考案は、ゴルフパターへの脱着がワンタッチで可能で、パターのスイートスポットをボールの中心へ適格にヒットさせる目標を可視化させ、Ｌ字状方向指示板を外した状態ではゴルフバッグに通常通りゴルフパターの格納に影響を与えず、プレーヤーがパターから外した状態で簡易に持ち歩きができ、繰り返しプレーが行われる際にも角度指示とグリーンからの高低が常に同じ条件が整うことを特徴としてパタープレー技術向上に役立つ。
【符号の説明】
【００１３】
１    Ｌ字状方向指示板
２    方向指示板
３    方向指示線
４    支柱板
５    方向指示板補強板
６    支柱板補強板
７    Ｌ字状方向指示板保持具
８    方向指示具篏合部
９    パターヘッド
１０    ネック
１１    ゴルフボール
【図１】
0003159213.tif 000003
【図２】
0003159213.tif 000004
【図３】
0003159213.tif 000005
【図４】
0003159213.tif 000006
【図５】
0003159213.tif 000007
【図６】
0003159213.tif 000008
【図７】
0003159213.tif 000009
(57)【要約】【課題】編地の所定の位置に簡便かつ迅速に編目模様を施すことができる見栄えのよい編物を提供する。【解決手段】二本の編糸Ａ糸２及びＢ糸３を用いて往路７、１０、復路８、１３編成する両面アフガン編物であり、その編地の往路１０を編成する際に編地に模様１１を施す位置において表目９の裏面の目１２を拾って編成することにより編目模様１１を形成するようにした。【選択図】図１
0003159219.tif 000002
【実用新案登録請求の範囲】
【請求項１】
複数の編糸を用いて編成する両面アフガン編物であって、編地に往路を編成する際に表目の裏面の目を拾って編成することにより得られる編目模様を有することを特徴とする両面アフガン編物。
【請求項２】
二本の編糸で編成した請求項１に記載の両面アフガン編物。
【請求項３】
編糸を異色とした請求項１または２に記載の両面アフガン編物。
【請求項４】
編目模様を施す編地部分を１段または２段ごとに編目数をかえるようにした請求項１ないし３のいずれかに記載の両面アフガン編物。
【考案の詳細な説明】
【技術分野】
【０００１】
本考案は、編地の所定の位置に編目模様を簡便に編成することができる両面アフガン編物に関する。
【背景技術】
【０００２】
棒状の両鈎針を用いて編地を両面より編成する両面アフガン編物が知られている。この両面アフガン編物は、異色の編糸を用いることにより下記のように両面の編地模様を相違させたり、同じにしたりすることができるものである。
編地模様が相違する編物は、往路編と復路編を別の編糸を用いて行い、これを交互に編糸を変更して編成し、復路の際には編地を持ち替えて編成する。
また、編地模様が同じ編物は、往路編と復路編を別の編糸を用いて行い、これを繰り返して編成し、復路の際には編地を持ち替えて編成する。
【０００３】
これらの両面アフガン編物は、複数色の編糸を用いることによって変化の富んだ編地模様を形成することができるが、この編地の所定の位置に更に他の模様を施すことが難しかった。
【先行技術文献】
【特許文献】
【０００４】
【特許文献１】実公昭４８−６７８２号公報（１欄３１行〜２欄１１行、図１、図２）
【特許文献２】実公昭４８−６７８３号公報（１欄３０行〜２欄７行、図１、図２）
【考案の概要】
【考案が解決しようとする課題】
【０００５】
本考案は、従来の編物を改良するものであって、編地の所定の位置に簡便かつ迅速に編目模様を施すことができるようにすると共に見栄えのよい編物を提供しようとするものである。
【課題を解決するための手段】
【０００６】
本考案は、複数の編糸を用いて編成する両面アフガン編物であって、編地の往路を編む際に表目の裏面の目を拾って編成することにより編地に新たな編目模様を施すようにしたものである。
また、本考案は、編地を二本の編糸で編成したり、編糸を異色のもので編成したりするものである。
【考案の効果】
【０００７】
本考案は、編地に模様を施す位置において、編地の往路を編む際に表目の裏面の目を拾って編成することにより新たな編目模様を簡便に得ることができと共に、これらの編目模様を編地を持ち替えたりすることなく円滑かつ迅速に編成することができ、見栄えのよい編物を得ることができる。
【図面の簡単な説明】
【０００８】
【図１】本考案の実施例を示す編物の組織図である。
【図２】編地の拡大概略図である。
【図３】編地の編目模様形成部分を示す部分拡大概略図である。
【図４】他の編目模様（菱形）を施した場合を示す編物の組織図である。
【図５】更に他の編目模様（菱形）を施した場合を示す編物の組織図である。
【考案を実施するための形態】
【０００９】
本考案は、セーター、コート、ベスト、カーディガン、ジャケット、マフラー、ストール、ケープ、ポンチョその他の編物に適用することができるが、実施例では編物の一部を表示して説明する。なお、この例では、編物１を二色の編糸Ａ糸２とＢ糸３で編成した場合を示している。
【００１０】
図１及び図２において、先ず、棒状の両鈎針４の一方の鈎部５を用いてＡ糸２で鎖目６を作り、このＡ糸２折り返して鎖目６を拾いながら往路７を編む。
【００１１】
次に、編地を持ち替えて、両鈎針４の他方の鈎部を用いてＢ糸３で復路８を編む。この状態からＢ糸３で表目９を拾いながら２段目の往路１０を編む。その際、編地に模様１１を施そうとする位置において（図１において「〜」の記号を縦に表示したような記号の位置）、図３に示すように上記表目９の裏面の目１２を拾って編むようにする。
【００１２】
裏面の目１２を拾う際に、図３に示すように編地の上部を少し手前に折り返すようにすると、裏面の目１２を楽に拾うことができ、目を拾う際に編地を持ち替えたりすることがないので、往路１０を円滑にかつ迅速に編むことができ、連続性を持ったきれいな編目が得られる。
【００１３】
２段目の復路１３を編成する際は、編地を持ち替えてＡ糸２で編む。
３段目以降は、図１及び図２に示すように上記２段目の編成と同様に往路と復路を編み、編目模様１１を施す部分において表目９の裏面の目１２を拾うようにする。
【００１４】
なお、実施例では、編目模様１１が図１では矩形状に形成され、図４及び図５では菱形状に形成されているが、この編目模様１１はその他植物、動物、風景、人物、幾何学模様等適宜の模様とすることができる。
【００１５】
また、図４に示す編物では、編目模様１１を施す部分の編目を２段ごとに変えているが、これを図５に示すように１段ごとに変えたり、その他の段数ごとに変えるようにしてもよい。
【００１６】
上記編物１では、表目９で編成された部分の編地が凹状に低くなった低域部１４を形成し、その裏側の目の部分の編地が凸状に高くなった高域部１５を形成するので、その高低の差により色彩の異なる編糸を用いて編成した場合などは、低い部分の編地が見る角度によって見え隠れしたりして見える範囲が変化するので、あたかも玉虫状の色彩変化をもたらし趣のある編物を得ることができる。なお、複数の編糸の太さを変えたり、編糸の種類を変えたりすると、又違った感じの編物が得られる。
【符号の説明】
【００１７】
２  Ａ糸    ３  Ｂ糸    ６  鎖目    ７、１０  往路    ８、１３  復路    ９  表目    １１  模様    １２  裏面に現れる目    １４  低域部    １５高域部
【図１】
0003159219.tif 000003
【図２】
0003159219.tif 000004
【図３】
0003159219.tif 000005
【図４】
0003159219.tif 000006
【図５】
0003159219.tif 000007
(57)【要約】      （修正有）【課題】転がりにくく、地面に有った場合に発見され易くなる機能を持つ魚釣り用錘を提供する。【解決手段】菱形を成す金属製の板１の角付近に孔２が開けられていることを特徴とする。【選択図】図１
0003159201.tif 000002
【実用新案登録請求の範囲】
【請求項１】
魚釣りで使われる釣り用錘であって、菱形を成す金属製の板の角付近に孔が開けられていることを特徴とする釣用錘。
【考案の詳細な説明】
【技術分野】
【０００１】  本考案は、魚釣りで使用される釣り用錘に関する。
【背景技術】
【０００２】  従来、釣り用錘は、様々な形状をした製品が製造され使用されている。しかしながら、それらは、単に比重が重い物体に輪や切込みを施しただけのものである。【０００３】  釣り用錘の機能は、釣糸に装着されることによって、釣糸と他の装着物である釣針や釣餌を水中に沈下させることである。特に期待されているのが、釣糸に着脱する際に人手から地面や路面に落下した際にその外見が砂利と同化したかの様に見えたり、路面の舖装部分の裂け目に入り込んだりして回収が困難になることが無い機能であるが、これは錘が大型に製造され且つ鮮やかな色の塗装を施されている場合にのみ有効に働く機能であり、釣り用錘が積極的に落下時に回収され易くなる機能を有する訳ではない。【０００４】  なお、本願考案に関連する公知技術として次の特許文献１及び特許文献２を挙げることができる。【０００５】
【特許文献１】  特許公開２００７−２９０６５
【特許文献２】  特許公開２００２−２７２３３６
【考案の開示】
【考案が解決しようとする課題】
【０００６】  上記の如く、従来技術に係る釣り用鍾は、鍾が大型に製造され且つ鮮やかな色の塗装を施されている場合にのみ有効に働く機能であり、釣り用錘が積極的に落下時に回収され易くなる機能を有する訳ではないので、単に釣り人がこの釣り用錘を魚釣りをする時の釣糸や釣糸に装着されたものを水中に沈下させる為の錘として用いたとしても、それだけでは、充分な落下物回収作業のし易さは得られず、釣り場で紛失した釣り用錘を回収することは難しい。【０００７】  このため、普段から魚釣りが行われている釣り場の地面または路面では、釣り入が落としていった釣り用錘がよく有って、その釣り用錘が釣り場の地面または路面が汚れてる要因となっている。普段から魚釣りが行われている釣り場の地面又は路面では、その釣り場の地面又は路面の清潔を維持する為に、釣り人が置き去りにした釣り具類を回収する内容の清掃作業が行われているのが現状である。【０００８】  本考案は、このような点を考慮し成されたものであり、その目的は、釣り用錘に転がりにくく、地面に有った場合に発見され易くなる機能を持たせることで、釣り場の地面又は路面で釣り人による釣り用錘の残留が無くなるようにすることにある。
【課題を解決するための手段】
【０００９】  上記の目的を達成する本考案の菱形多孔釣り用錘は、魚釣りで使われる釣り用錘であって、菱形を成す金属板の角付近に孔が開けられていることを特徴とする。
【考案の効果】
【００１０】  以上説明したように、本考案によれば、釣り用錘に、菱形の形状を与え、その菱形の身体の角付近に孔を設けるようにしたので、釣り用錘に転がりにくく、地面に有った場合に発見され易くなる機能を持たせることが可能になる。この菱形多孔釣り用錘を例えば砂利の地面の釣り場からの魚釣りに用いることで、その釣り場でうっかり釣り人が手から落とした釣り用錘をその後紛失してしまうことなく回収することが可能となり、釣り場の残留物による散らかりの防止や、釣り用錘の紛失防止等に極めて有効である。
【考案を実施するための最良の形態】
【００１１】  以下、本考案の実施の形態を図面に基づき詳細に説明する。【００１２】  図１から図４は、本考案の第１の実施の形態に係り、図１はその正面図、図２はその外観斜視図、図３はその水中に於ける使用中の場合の正面図である。【００１３】  図１、図２、図３で示すように、本菱形多孔釣り用錘は、菱形を成す板１の角付近に孔２を設けたものである。【００１４】  図３で示すように、本菱形多孔釣り用錘の孔２の内径は、釣糸の内径よりも大きくなっている。【００１５】  本菱形多孔釣り用錘は、人間の指で摘む事が可能である大きさをしている。【００１６】  板１は、金属製である。【００１７】  本菱形多孔釣り用錘の質量は、釣糸と釣糸の装着物である釣針や釣り餌などを水中に沈下させることができるほどである。
【産業上の利用可能性】
【００１８】  本考案は、釣り用錘を製造、販売する産業分野で利用する事ができる。
【図面の簡単な説明】
【００１９】
【図１】  本考案の第１の実施の形態に係る菱形多孔釣り用錘の正面図である。
【図２】  図１の菱形多孔釣り用錘の外観斜視図である。
【図３】  図１の菱形多孔釣り用錘の水中に於ける使用中の場合の正面図である。
【符号の説明】
【００２０】  １          板
２          孔
３          釣糸
４          釣針
５          釣り餌
【図１】
0003159201.tif 000003
【図２】
0003159201.tif 000004
【図３】
0003159201.tif 000005